(57)【要約】【課題】  便器の大きさに関係なく小水が外部に洩れ出ることを確実に防止できる便座を提供する。【解決手段】  温水洗浄便座１は、便器２の上面２ａの後方に固定され、回動可能に枢支された座部５を有する。この座部５を使用状態に回動させた状態で、その座部５の反枢支側たる前方側の底面９と便器２の上面２ａとの間に、これらの間をカバーするガード１１が前後方向に位置変更可能に設けられている。  この構成によれば、便器２に備えつけられる温水洗浄便座１の寸法が便器２の寸法と合致しない場合であっても、前記ガード１１を前後方向に位置変更させることによって、ガード１１が適正な位置で、座部５の前方側の底面９と便器２との間をカバーするよう設けることができるので、小水が外部に洩れ出ることを確実に防止できる。【選択図】  図１
2006230888.tif 000002
【特許請求の範囲】
【請求項１】
便器に備え付けられ回動可能に枢支された座部を有する便座において、
前記座部を使用状態に回動させた状態で、その座部の反枢支側たる前方側の底面と前記便器との間に、これらの間をカバーするガードを前後方向に位置変更可能に設けるようにしたことを特徴とする便座。
【請求項２】
ガードの後端部は、便器内方に向けて突出することを特徴とする請求項１記載の便座。
【請求項３】
ガードの後端部は、その左右方向の両端部において中央部の突出量よりも突出量が小さくなるよう構成されていることを特徴とする請求項２記載の便座。
【請求項４】
ガードの後端部は、その上面から前方に向け傾斜するように形成されていることを特徴とする請求項１乃至３の何れかに記載の便座。
【請求項５】
ガードの後端部に多数の小突起を設けたことを特徴とする請求項１乃至４の何れかに記載の便座。
【発明の詳細な説明】
【技術分野】
【０００１】
本発明は、トイレの便器に備え付けられる便座に関する。
【背景技術】
【０００２】
従来より、便器に備え付けられ回動可能に枢支された座部を有する便座において、座部を使用状態に回動させたとき、この座部の底面と便器の上面との衝撃を緩和するように、座部の底面に適当個数のクッションが配設される。このため、座部の底面と便器の上面との間にはクッションの厚みによる間隙が生じる。ところが、男性が座部に着座した状態で小便を行なった場合、小水が前部間隙、特に、座部の反枢支側たる前方側の底面と便器の上面との隙間から外部に洩れ出して、床や該便器を汚すことがある。
そこで、この種の便座においては、座部の前方側の底面に前記間隙を便器の内方側から覆う尿飛散防止壁体を有する尿飛散防止カバーを固定して小水が外部へ飛散しないようにしたものが供されている。（例えば、特許文献１参照）
【特許文献１】実開平０７−２３４９８号公報
【発明の開示】
【発明が解決しようとする課題】
【０００３】
トイレに設置されている便器は、建屋の事情により大きさ（開口寸法）が様々異なるものであり、前述したように前方側の底面に尿飛散防止カバーを固定した便座を便器に装着したときに尿飛散防止壁体が間隙を適正に覆うことができなくなる事態が発生する。
本発明は上記事情に鑑みてなされたものであり、その目的は、便器の大きさに関係なく小水が外部に洩れ出ることを確実に防止できる便座を提供することにある。
【課題を解決するための手段】
【０００４】
上記目的を達成するために本発明は、便器に備え付けられ回動可能に枢支された座部を有する便座において、
前記座部を使用状態に回動させた状態で、その座部の反枢支側たる前方側の底面と前記便器との間に、これらの間をカバーするガードを前後方向に位置変更可能に設けるようにしたことを特徴としている。
この構成によれば、便器に備えつけられる便座の寸法が該便器の寸法と合致しない場合であっても、前記ガードを前後方向に位置変更させることによって、該ガードが適正な位置で、座部の前方側の底面と便器との間をカバーするよう設けることができるので、小水が外部に洩れ出ることを確実に防止できる。
【発明の効果】
【０００５】
以上のように、本発明の便座によれば、便器の大きさに関係なく小水が外部に洩れ出ることを確実に防止できる効果を得られる。
【発明を実施するための最良の形態】
【０００６】
＜第１実施例＞
以下、本発明を温水洗浄式に適用した第１実施例について図１乃至図５を参照して説明する。
図２は、温水洗浄便座を便器と共に示す斜視図である。温水洗浄便座１は、便器２の上面２ａの後方に固定される本体３を備える。この本体３は、その左右両側に枢支部４を有し、この枢支部４には、座部５及び便蓋６が図示しないピンにより回動可能に枢支されている。本体３の一側部には、張出部７が固定されており、この張出部７には操作部７ａが一体的に設けられている。本体３内には、図示はしないが、給水弁、ヒータにより加熱された温水を貯留するタンク、ポンプ及びノズル機構並びにこれらを制御する制御回路等が配設されている。
【０００７】
操作部７ａが操作されると、ポンプが駆動されてタンク内の温水が、ノズル８（図３参照）に供給されて、この温水が、周知のように、ノズル８から噴射されて使用者の局部を洗浄するようになっている。
前記座部５は便器２の上面２ａの形状に合わせて全体が略Ｏ字状をなし、その底面９には適当個数、例えば４個の便座クッション１０（図４参照）が固着されている。
さらに、図１（ａ）の拡大断面図に示すように、座部５の反枢支側たる前方側の底面９には、ガード１１が一対の固定板１２により取り付けられている。尚、図４は、この座部５を底面から見た斜視図、図５（ａ）は、ガード１１及び固定板１２の斜視図、（ｂ）は、Ａ−Ａ線に沿う拡大断面図、（ｃ）は、Ｂ−Ｂ線に沿う拡大断面図を示す。
【０００８】
ガード１１は、抗菌性材質の薄板状のもので構成され、その表面には撥水性塗料が塗布されている。
ガード１１の前方側（図５（ａ）中、矢印Ｆ方向）の先端部１４は、座部５の外周の形状に合うように略円弧状に形成されている。他方、後方側（図５（ａ）中、矢印Ｒ方向）の後端部は、便器２内方に向けて突出するリブ１５として形成され、このリブ１５は座部５の内周の形状に合うように略円弧状形成されている。
【０００９】
このリブ１５は、その上面から前方に向け傾斜（角度α）した状態で突出しており、リブ１５の中央部１５ｂは、便器２の上面２ａよりも内方の位置まで突出している（図１（ａ）参照）。リブ１５の突出量は、中央部１５ｂから左右方向の両端に向うに従い小さくなっており、両端部１５ａ、１５ａにおいては、突出量が零になるように構成されている（図５（ａ）参照）。さらに、このリブ１５の後方側の表面には、多数の半球状若しくは角錐状の小突起１６が設けられている。
【００１０】
ガード１１の左右方向の両端部には幅狭な取付片部１７が形成され、この取付片部１７には、二箇所に係合凸部１７ａが形成されている（図５（ｂ）参照）。
前記取付片部１７を覆うように、ガード１１の両端には、一対の固定板１２が設けられている。この固定板１２は、取付片部１７を支持する支持部１３を有し、その支持部１３には五箇所に前記係合凸部１７ａと係合する係合凹部１３ａが形成されている。固定板１２は、座部５の底面９に螺子１８によって固定される。
前記ガード１１は、その取付片部１７が座部５の底面９と支持部１３との間に収容され、且つ係合凸部１７ａと係合凹部１３ａとが嵌合することにより位置決めされた状態で取り付けられる。即ち、ガード１１は螺子１８を緩めることで座部５の底面９に対して前後方向に位置変更可能、例えばスライド可能になっている。
【００１１】
次に、上記のように構成された温水洗浄便座１の作用について説明する。
まず、ガード１１は使用前において、適正な位置に設定される。即ち、温水洗浄便座１の寸法が便器２（Ａ）の寸法と合致する図１（ａ）の場合、ガード１１は、座部５の底面９の通常の位置に取り付けられていることにより、リブ１５が便器２（Ａ）の内方に突出して便器２（Ａ）の上面２ａと座部５の底面９との間の間隙Ｇを便器２（Ａ）の内側から覆う（カバーする）ようになって、適正位置になる。
【００１２】
これに対して、図１（ａ）の場合と異なり、例えば、便器２（Ｂ）の寸法が温水洗浄便座１の寸法より小さい図１（ｂ）の場合、ガード１１は後方側に移動される。
この時、ガード１１の移動は、リブ１５が便器２（Ｂ）の内方に位置して間隙Ｇを内側から覆い、且つ係合凸部１７ａと係合凹部１３ａとが係合することにより固定される位置までスライドさせることにより行われる。
【００１３】
続いて、座部５のみを使用状態に回動させた状態（図３参照）で、使用者は、座部５の上面に着座して小便を行なう。ここで、座部５の底面９と便器２の上面２ａとの間の間隙Ｇ側に小水が飛散しても、その間隙Ｇはガード１１のリブ１５によってカバーされている。これにより、該小水はリブ１５の後方側の表面で反射するが、この表面の多数の小突起１６により小水の反射が抑えられると同時に、リブ１５の傾斜（角度α）により小水は下方へ流下する。
【００１４】
以上のように本実施例によれば、ガード１１を取り付けたことで、殊に着座した男性の小水が、座部５の底面９と便器２の上面２ａとの間の間隙Ｇより外部に洩れ出るのを遮ることができるので、床や便器２の汚れを防止できる。
また、ガード１１は、前後方向にスライド移動により位置変更可能に構成されているので、便器２の大きさに関係なく小水が外部に洩れ出ることを確実に防止できる。
また、小突起１６により、リブ１５における小水の反射飛散を抑えることができるので、着座している使用者の身体や衣服への小水による汚れを極力抑えることができる。
【００１５】
さらに、リブ１５は傾斜するように形成されているので、リブ１５に反射した小水が、リブ１５が垂下するように形成される場合よりも、鉛直下方へ流下し易くなる。よって、着座している使用者の身体や衣服への小水による汚れを極力抑えることができる。
また、ガード１１は、抗菌性材質で、且つその表面には撥水性塗料が塗布されているので、ガード１１の表面を衛生に保ちつつ、ガード１１の汚れを防止できる。
リブ１５は、その左右方向の両端部１５ａ、１５ａにおいて中央部１５ｂの突出量よりも突出量が小さくなるよう構成されている。よって、座部５を使用状態に回動させた場合、温水洗浄便座１と便器２との間に（左右に）若干のズレが生じていたり、ガード１１と座部５の底面９との間に若干の遊びが生じていても、リブ１５と便器２とが接触することなく、スムーズに座部５を使用状態に位置させることができる。
【００１６】
リブ１５の形状は、座部５の内周の形状に合うように形成されているので、リブ１５が図１（ａ）の状態に位置する場合、リブ１５は座部５の内周側にはみ出すことがなく、使用者が用をたすときの邪魔にならない。また、リブ１５が、図１（ｂ）の状態に位置する場合であっても、使用者の邪魔にならないよう、便器２内のスペースを極力確保することができる。
【００１７】
＜第２実施例＞
図６乃至図８は、本発明の第２実施例を示すものであり、第１実施例と異なるところを説明する。図６は座部を底面から見た斜視図、図７はガード及びの斜視図、図８はＣ−Ｃ線に沿う拡大断面図を示すものであり、第１実施例と同一部分には同一符号を付している。
座部５の前方側の底面９には、図８に示すように凹部１９が形成され、この凹部１９には、ガード２０が設けられている。このガード２０は前記ガード１１と同材質である。
ガード２０は、その左右方向の両端部に、前後方向に延びる長孔２１、２１を有し、この長孔２１、に螺子２２が挿通されることによって前記凹部１９に取り付けられている。
【００１８】
このガード２０の取り付けは、例えば、便器２の寸法が温水洗浄便座１の寸法より小さい場合（図１（ｂ）参照）、便器２の寸法に応じて行われる。即ち、ガード２０の取り付けは、凹部１９とガード２０とを当接させながらリブ１５が便器２の内方に位置するまでスライドさせ、その位置で螺子２２を締め付けることにより行われる。従って、ガード２０は、螺子２２を緩めることにより、凹部１９によりガイドされながら前後方向にスライドすることによって、その位置が変更可能である。
【００１９】
このような構成によれば、ガード２０の取り付けにおいて、凹部１９はガード２０のガイドとして機能するので、ガード２０の位置調整が容易となり、便器２の寸法に応じてガード２０を簡単に取り付けることができる。また、凹部１９の存在により、螺子２２の頭部が底面９より突出することはない。
また、ガード２０は、単に螺子２２により直接座部５に固定されることで取り付けられるので、確実にガード２０を固定することができ、又、コストを抑えることもできる。
＜第３実施例＞
図９は、本発明の第３実施例を示すものであり、第２実施例と異なるところを説明する。図９は、図８に相当する拡大断面図を示すものであり、第２実施例と同一部分には同一符号を付している。
【００２０】
ガード２０に代わるガード２３は、第１実施例のガード２０とは、以下の点について相違する。即ち、図９に示すように、ガード２３のリブ１５の後方側の表面には、樹脂製の樹脂クッション２４が設けられている。この樹脂クッション２４は抗菌性及び撥水性を有する。
このような構成によれば、樹脂クッション２４により、リブ１５における小水の反射飛散を抑えることができるので、着座している使用者の身体や衣服への小水による汚れを極力抑えることができる。
【００２１】
＜第４実施例＞
図１０乃至図１２は、本発明の第４実施例を示すものであり、第１実施例と異なるところを説明する。図１０は便器２及び温水洗浄便座１の前方側の拡大断面図、図１１は座部５を底面から見た斜視図、図１２は図１１のＤ−Ｄ線に沿う拡大断面図を示すものであり、第１実施例と同一部分には同一符号を付している。
座部５の前方側の底面９には、図１０に示すように、ガード２５が設けられている。
抗菌性を有する樹脂により構成されたガード２５は、厚板状に構成され、その表面には撥水性塗料が塗布されており、ガード２５の高さ寸法は、便器２の上面２ａから座部５の底面９の高さ寸法と同じになるように構成されている。
【００２２】
ガード２５の後方側の後端部２６には、その左右方向の両端部に円弧状の切欠部２７、２７が設けられ、後端部２６においてガード２５の高さ寸法は、中央部２６ｂよりも左右方向の両端部２６ａ、２６ａの方が低くなるよう構成されている。また、後端部２６の形状は座部５の内周の形状に合うように形成され、且つ後端部２６は、その上面から前方に向け傾斜（角度α）している。
他方、ガード２５は、その左右方向の両端部に、この外周に沿う段付きの長穴２８、２８を有し、この長穴２８より挿通された螺子２９がガード２５を貫通することによって座部５の底面９に取り付けられている（図１２参照）。従ってガード２５は、螺子２９を緩めることにより、座部５の底面９を前後方向にスライド可能でその位置を変更可能である。
【００２３】
この結果、図１に相当する図１０に示すように、ガード２５を便器２（Ａ）、２（Ｂ）の大きさに応じて位置変更できる。
このような第４実施例によっても第１実施例と同様の効果が得られ、殊に、ガード２５は、螺子２９により直接座部５に固定されることで取り付けられるので、確実にガード２５を固定することができ、又、コストを抑えることもできる。さらに、ガード２５によって、便器２の上面２ａから座部５の底面９の間を塞ぐようになるので、小水が外部に洩れ出ることをより確実に防止し、同時に座部５と便器２の上面２ａの緩衝材としても機能する。
【００２４】
尚、本発明は、上記し、且つ図面に示す実施例にのみ限定されるものではなく、次のような変形、拡張が可能である。
本発明は、温水洗浄便座１に限られず、暖房便座、普通便座等、便器に備え付けられ回動可能に枢支された座部を有する便座全般に適用できるものである。
さらに、上記実施例において、抗菌性材質のガードに代えて、抗菌性の皮膜をガードの表面に形成してもよい。
また、上記実施例では、ガードの表面には撥水性塗料が塗布されるようにしたが、これに代えて、撥水性の材質のガードにより構成しても良い。
第１実施例において、固定板１２を板ばね製とすれば、螺子１８を緩めなくてもガード１１を前後方向にスライドさせることができる。
【図面の簡単な説明】
【００２５】
【図１】本発明の第１実施例を示すもので、（ａ）は便器及び温水洗浄便座の拡大縦断面図、（ｂ）は便器が温水洗浄便座より小さい場合の（ａ）相当図
【図２】便器及び温水洗浄便座の斜視図
【図３】座部を使用状態に回動させた状態の図２相当図
【図４】座部を底面から見た斜視図
【図５】（ａ）はガード及び固定板の斜視図、（ｂ）は（ａ）のＡ−Ａ線に沿う縦断面図、（ｃ）は（ａ）のＢ−Ｂ線に沿う縦断面図
【図６】本発明の第２実施例を示す図４相当図
【図７】ガードの斜視図
【図８】図６のＣ−Ｃ線に沿う縦断面図
【図９】本発明の第３実施例を示す図８相当図
【図１０】本発明の第４実施例を示す図１相当図
【図１１】座部を底面から見た拡大斜視図
【図１２】図１１のＤ−Ｄ線に沿う縦断面図
【符号の説明】
【００２６】
図面中、１は温水洗浄便座（便座）、２は便器、４は枢支部（枢支）、５は座部、９は底面、１１はガード、１５はリブ（後端部）、１５ａは両端部、１５ｂは中央部、１６は小突起、２０はガード、２３はガード、２５はガード、２６は後端部を示す。
【図１】
2006230888.tif 000003
【図２】
2006230888.tif 000004
【図３】
2006230888.tif 000005
【図４】
2006230888.tif 000006
【図５】
2006230888.tif 000007
【図６】
2006230888.tif 000008
【図７】
2006230888.tif 000009
【図８】
2006230888.tif 000010
【図９】
2006230888.tif 000011
【図１０】
2006230888.tif 000012
【図１１】
2006230888.tif 000013
【図１２】
2006230888.tif 000014